(57)【要約】【課題】  本発明は魚釣用リールに関し、釣糸のキャスティング性能の向上を図り、併せて良好なキャスティング性能を高精度に維持することのできる魚釣用リールを提供することを目的とする。【解決手段】  請求項１に係る発明は、リール本体に回転自在に支持したスプールを、リール本体の一方の側板に装着したハンドルで回転駆動可能とし、スプールの釣糸巻回胴部の径方向内方に設けた凹部に機能部材の少なくとも一部を収容した魚釣用リールに於て、上記スプールの釣糸巻回胴部に、複数のディンプルを設けたことを特徴とする。  そして、請求項２に係る発明は、請求項１に記載の魚釣用リールに於て、ディンプルは、釣糸巻回胴部の軸方向及び周方向へ複数設けられていることを特徴とする。【選択図】    図２
2007104952.tif 000002
【特許請求の範囲】
【請求項１】
リール本体に回転自在に支持したスプールを、リール本体の一方の側板に装着したハンドルで回転駆動可能とし、
スプールの釣糸巻回胴部の径方向内方に設けた凹部に機能部材の少なくとも一部を収容した魚釣用リールに於て、
上記スプールの釣糸巻回胴部に、複数のディンプルを設けたことを特徴とする魚釣用リール。
【請求項２】
ディンプルは、釣糸巻回胴部の軸方向且つ周方向に複数設けられていることを特徴とする請求項１に記載の魚釣用リール。
【発明の詳細な説明】
【技術分野】
【０００１】
本発明は魚釣用リールに係り、詳しくはリール本体に回転自在に支持したスプールに巻回される釣糸のキャスティング性能の向上を図った魚釣用リールに関する。
【背景技術】
【０００２】
従来、魚釣用リールには、リール本体に回転自在に支持されたスプールをスプールフリー状態と巻取り可能状態とに切り換えるクラッチ機構が装着されており、通常、リール本体のハンドル側側板の後部またはスプール後方の側板間に取り付けたクラッチレバーの操作で、クラッチ機構がクラッチＯＮ状態（動力伝達状態）とクラッチＯＦＦ状態（動力遮断状態）とに切り換わり、また、クラッチＯＦＦ状態で手動ハンドルを巻取り方向へ回転させると、復帰機構によってクラッチ機構がクラッチＯＦＦ状態からクラッチＯＮ状態に復帰するようになっている。
【０００３】
そして、クラッチ機構がクラッチＯＦＦ状態に操作されると、スプールがスプールフリー状態に切り換わって仕掛けを目標のポイントに放出するキャスティング操作が可能となり、また、クラッチ機構がクラッチＯＮ状態に操作されると、スプールが巻取り可能状態に切り換わってハンドル操作で釣糸がスプールに巻回可能となる。
ところで、釣糸（仕掛け）を放出する際、スプールの慣性が大きいとその駆動トルクも大きくなるため、キャスティング操作時にスムーズで急速度のスプール回転が得られず、飛距離が伸びない問題がある。
【０００４】
そこで、特許文献１及び特許文献２には、スプールの釣糸巻回胴部の周方向に複数の貫通孔を設けてスプールの軽量化を図ることで、慣性を小さくしスプールフリー回転性を向上させて飛距離の向上を図った魚釣用リールが開示されている。
【特許文献１】特開平１０−２７１９３７号公報
【特許文献２】特開２００１−２８９８３号公報
【発明の開示】
【発明が解決しようとする課題】
【０００５】
しかし、リール本体に軸受を介して回転自在に支持されたスプールは、キャスティング操作時に超高速で回転して釣糸を放出するため、軸受に注油された油はスプール軸に伝達して、スプール回転に伴う遠心作用で前記貫通孔から釣糸巻回胴部に巻回している釣糸内に浸透し、この結果、油で釣糸が劣化して切れ易くなったり、釣糸同士が油で強固に密着して釣糸のスムーズな放出が得られず、飛距離が低下してしまう等の問題があった。
【０００６】
また、キャスティング時に着水する釣糸への油の付着により、魚や湖への影響も生じる可能性があり、釣果低下だけでなく環境の面に於ても好ましくない。
更に、スプールの釣糸巻回胴部に多数の貫通孔が設けられていると、キャスティング時のスプールの高速回転で空気抵抗が発生して飛距離を低下させてしまう不具合も指摘されている。
【０００７】
更にまた、釣糸巻回胴部に設けた貫通孔からゴミや水分がスプール内部に浸入，付着して軸受が腐食したり、軸受に注油した油が流出したり劣化してしまう虞があり、スプールの回転支持性能を高精度に維持することができなくなる等の問題もあった。
本発明は斯かる実情に鑑み案出されたもので、釣糸のキャスティング性能の向上を図り、併せて良好なキャスティング性能を高精度に維持することのできる魚釣用リールを提供することを目的とする。
【課題を解決するための手段】
【０００８】
斯かる目的を達成するため、請求項１に係る発明は、リール本体に回転自在に支持したスプールを、リール本体の一方の側板に装着したハンドルで回転駆動可能とし、スプールの釣糸巻回胴部の径方向内方に設けた凹部に機能部材の少なくとも一部を収容した魚釣用リールに於て、上記スプールの釣糸巻回胴部に、複数のディンプルを設けたことを特徴とする。
【０００９】
そして、請求項２に係る発明は、請求項１に記載の魚釣用リールに於て、ディンプルは、釣糸巻回胴部の軸方向及び周方向へ複数設けられていることを特徴とする。
【発明の効果】
【００１０】
請求項１に係る発明によれば、スプールの釣糸巻回胴部に複数のディンプルを設けたことで、スプールの軽量化による良好なキャスティング性能の向上を図り乍ら、釣糸が巻回されるスプールのキャスティング操作や巻取り操作時に於ける不具合、即ち、スプールの高速回転時の遠心作用による軸受油の釣糸への付着や、釣糸巻回時に於ける水分及び異物等のスプール内部への浸入，付着等が解消されるので、従来技術の問題が解消され、実釣時に於ける良好なキャスティング性能を高精度に維持することができる。
【００１１】
また、請求項２に係る発明によれば、更なるスプールの軽量化によってスプールの慣性が小さくなるため、キャスティングの飛距離の向上が図れると共に、スプール内にスプールの制動装置や軸受部等の機能部材を、何ら支障を来すことなく収容配置することができる。
【発明を実施するための最良の形態】
【００１２】
以下、本発明の実施形態を図面に基づいて詳細に説明する。
図１は請求項１及び請求項２に係る魚釣用リールの一実施形態を示し、図中、１，３はフレーム５の左右に取り付く側板で、当該側板１，３とフレーム５によって魚釣用リール７のリール本体９が構成されている。そして、側板１，３間に、軸受１１，１３を介してスプール軸１５が回転可能に支持されており、当該スプール軸１５にスプール１７が一体的に取り付けられている。
【００１３】
そして、側板３側に突出するスプール軸１５には、当該スプール軸１５の外周に設けたクラッチ部１９に係脱可能なピニオンギヤ２１が回転可能且つその軸方向へスライド可能に取り付けられており、従来と同様、スプール１７後方の側板１，３間に設けたクラッチレバー２３の操作でこれらを係脱させると、周知のクラッチ機構（機能部材）２５がクラッチＯＮ状態（動力伝達状態）とクラッチＯＦＦ状態（動力遮断状態）とに切り換わって、スプール１７がスプールフリー状態と釣糸巻取り状態とに切り換わるようになっている。
【００１４】
また、図中、２７はハンドル、２９は当該ハンドル２７が連結されたハンドル軸で、ハンドル軸２９の挿入先端部は、図示しない軸受部材を介してフレーム５に回転可能に取り付けられている。そして、その挿入先端側に復帰機構のクラッチ復帰ギヤ３１が取り付けられており、従来と同様、クラッチＯＦＦ状態でハンドル２７を操作すると、復帰機構の作動でクラッチ機構２５がクラッチＯＮ状態に復帰して、スプール１７がスプールフリー状態から釣糸巻取り状態に切り換わるように構成されている。
【００１５】
更にハンドル軸２９には、ピニオンギヤ２１に噛合するドライブギヤ３３が回転可能に取り付けられている。
そして、ドライブギヤ３３とハンドル軸２９は、側板３に突設した駆動支持部３５内の周知のドラグ装置で摩擦結合されており、ハンドル２７の回転力が、このドラグ装置を介してドライブギヤ３３，ピニオンギヤ２１からスプール軸１５に伝達されてスプール１７が回転することで、スプール１７の釣糸巻回胴部３７に釣糸が巻回され、また、クラッチレバー２３によるクラッチＯＦＦの操作で、スプール軸１５へのハンドル２７の回転力が遮断されてスプール１７がスプールフリー状態になるため、キャスティング操作によって釣糸がスプール１７から繰り出されるようになっている。そして、ドラグ装置のドラグ力の調節は、ハンドル軸２９に装着したスタードラグ３９で行うようになっている。
【００１６】
また、図示しないが駆動支持部３５内には、転がり式一方向クラッチからなる周知の逆転防止装置が装着されており、この逆転防止装置によって、釣糸の繰出し時に於けるハンドル２７（ハンドル軸２９）の逆転防止が図られている。
図２はスプール軸１５に一体的に取り付くスプール１７の一部切欠き正面図を示し、スプール１７は左右の側部に設けられた皿状のフランジ部４１，４３と、両フランジ部４１，４３間に設けられた正面視鼓形状の釣糸巻回胴部３７とで構成され、釣糸巻回胴部３７の中央内周に、筒状のスプール軸挿着部４５を有する円盤状の支持プレート４７が径方向に一体成形されている。そして、スプール軸挿着部４５にスプール軸１５が挿着されて、スプール軸１５がスプール１７の中心軸上に配置されている。
【００１７】
そして、図２に示すように前記支持プレート４７によって、スプール１７内（釣糸巻回胴部３７の径方向内方）には、両フランジ部４１，４３側（左右の側板１，３側）に開口する２つの機能部材収容部（凹部）４９，５１が区画形成されており、フランジ部４３側（側板３側）に開口する機能部材収容部５１内に、既述した機能部材たるクラッチ機構２５の一部が収容されている。
【００１８】
一方、フランジ部４１側（側板１側）に開口する機能部材収容部４９内には、特許第３５０５３４１号公報に開示されたスプール１７の回転速度制御機構（機能部材）５３の一部が収容されている。
即ち、図２に於て、５５はスプール軸１５の外周にその軸方向へスライド可能に取り付くロータ支持体で、当該ロータ支持体５５は、スプール軸１５が挿通する筒状部５７と、その外周に一体成形されて釣糸巻回胴部３７の径方向に突出する複数本の遠心カラー支持部５９とからなり、スプール１７の非回転時は、図示しない付勢部材によってロータ支持体５５は筒状部５９がスプール軸挿着部４５に当接している。
【００１９】
そして、各遠心カラー支持部５９に遠心カラー６１が取り付き、更に遠心カラー支持部５９に、アルミニウムや銅等の導電体からなる円筒状のインダクトロータ６３がスプール軸１５を中心に支持されており、インダクトロータ６３は側板１方向へ延設されている。
遠心カラー６１は、その外周６４が、正面視鼓形状に形成された釣糸巻回胴部３７の左側（側板１側）の傾斜部３７ａの内周形状（図２中、傾斜面３７ｄ）に沿った形状とされている。そして、遠心カラー６１は、スプール１７の回転に伴う遠心力に応じ、遠心カラー支持部５９に沿ってスプール１７の径方向外方に移動可能で、斯様に遠心力によって遠心カラー６１がスプール１７の径方向外方に移動するに伴い、傾斜部３７ａの内周の傾斜面３７ｄに摺接し乍ら、ロータ支持体５５がスプール軸１５に沿って側板１側へ移動して、インダクトロータ６３が同方向へ移動するようになっている。
【００２０】
一方、図１に示すように側板１側には、複数の磁石６５が配置された２重の円環６７，６９が配置されており、両円環６７，６９の環状の隙間にインダクトロータ６３の自由端側が挿入可能となっている。
そして、両円環６７，６９の環状の隙間にインダクトロータ６３の自由端側が挿入すると、複数の磁石６５の磁力によりインダクトロータ６３に渦電流が発生して、インダクトロータ６３を伴って回転するスプール１７に制動力が作用するようになっており、キャスティング開始直後の初期（立ち上がり段階）に於て、スプール１７の回転速度がある程度の大きさに達するまでは遠心カラー６１に生じる遠心力が弱いため、両円環６７，６９の環状の隙間にインダクトロータ６３の自由端側が挿入しない構造となっている。
【００２１】
この結果、キャスティング開始直後の初期に於て、スプール１７の回転速度がある程度の大きさに達するまではスプール１７に制動力が作用しないため、スプール１７の初期回転速度を急激に上昇させることができることとなる。
そして、スプール１７の回転速度がある程度の大きさに達すると、遠心力の作用で遠心カラー６１が遠心カラー支持部５９に沿って径方向外方へ移動し、傾斜面３７ｄの摺接に伴ってロータ支持体５５がスプール軸１５に沿って側板１側へ移動するため、両円環６７，６９の環状の隙間にインダクトロータ６３の自由端側が挿入する。
【００２２】
この結果、磁石６５の磁力の作用によりインダクトロータ６３に大きな制動力がかかってスプール１７の不要な過回転が抑えられることで、バックラッシュの発生が防止されるようになっている。
このように本実施形態に係る魚釣用リール７には、インダクトロータ６３や遠心カラー６１，磁石６５等からなるスプール１７の回転速度制御機構５３が装着され、前記機能部材収容部４９内に、インダクトロータ６３や遠心カラー６１等が収容されている。
【００２３】
そして、本実施形態は、上述した構成に加え、スプール１７の釣糸巻回胴部３７の外周に、複数のディンプル７１をその軸方向と周方向に設けたことを特徴とする。
ディンプル７１とは、釣糸巻回胴部３７の径方向内方に貫通しない窪み（凹部）をいい、一般的に、ゴルフボールの飛距離を伸ばすためにその表面に設けられたディンプル構造が広く知られている処である。
【００２４】
図２に示すようにディンプル７１は断面円弧状をなし、正面視鼓形状に形成された釣糸巻回胴部３７の左右の傾斜部３７ａ，３７ｂに於て、夫々の周方向に所定間隔を空けて複数設けられている。更に、釣糸巻回胴部３７の中央筒状部３７ｃに於て、その周方向に複数のディンプル７１が軸方向へ２列で設けられている。
本実施形態はこのように構成されているから、クラッチレバー２３によるクラッチ機構２５のクラッチＯＦＦ操作でスプール１７がスプールフリー状態となり、このスプールフリー状態でキャスティング操作をすれば、釣糸がスプール１７から繰り出されるが、スプール１７は、釣糸巻回胴部３７に複数のディンプル７１が設けられた構造上、ディンプルのない従来のスプールに比し軽量化が図られ、この結果、キャスティング時のスプール１７の慣性が小さくなってスプールフリー回転性が向上し、スムーズで急速度のスプール回転が得られる。
【００２５】
また、既述したように釣糸巻回胴部に貫通孔を設けていた特許文献１，２の従来例では、スプールの高速回転時の遠心作用による釣糸への軸受油（潤滑油）の付着といった問題があったが、本実施形態は貫通孔に代えてディンプル構造としたため、遠心作用によって釣糸に軸受油が付着する虞がない。
そして、このクラッチＯＦＦ状態でハンドル２７を操作すると、復帰機構によりクラッチ機構２５がクラッチＯＦＦ状態からクラッチＯＮ状態に復帰してスプール１７が釣糸巻取り状態に切り換わるが、このクラッチＯＮ状態でハンドル３３を更に巻き取り操作すれば、スプール１７が回転して釣糸巻回胴部３７に釣糸が巻回される。
【００２６】
而して、この釣糸巻取り状態に於ても、既述したように特許文献１，２の従来例では、貫通孔からゴミや水分がスプール内部に浸入，付着して軸受が腐食したり、潤滑油が流出したり劣化してしまう虞があったが、本実施形態は貫通孔に代えてディンプル構造としたため、貫通孔からゴミや水分が内部に浸入，付着する従来の不具合が発生することがない。
【００２７】
従って、本実施形態によれば、スプール１７の軽量化によって良好なキャスティング性能の向上を図り乍ら、スプール１７の高速回転時の遠心作用による軸受油の釣糸への付着や、釣糸巻回時に於ける水分及び異物等のスプール１７内部への浸入，付着等が解消されるので、従来技術の問題が解消され、実釣時に於ける良好なキャスティング性能を高精度に維持することができると共に、スプール１７内に既述した回転速度制御機構５３や軸受１１，１３等を何ら支障を来すことなく収容配置することができる利点を有する。
【００２８】
図３は左右のフランジ部７３，７５間にストレートタイプの釣糸巻回胴部７７を有するスプール７９に請求項１及び請求項２の発明を適用したもので、図示するように本実施形態は、断面凹状のディンプル８１を釣糸巻回胴部７７の軸方向へ４列に亘って釣糸巻回胴部７７の周方向へ複数設けたものである。
また、本実施形態に於ても、支持プレート４７によって、スプール７９内（釣糸巻回胴部７７の径方向内方）には、両フランジ部７３，７５側に開口する２つの機能部材収容部（凹部）８３，８５が区画形成されており、図２の実施形態と同様、フランジ部７５側に開口する機能部材収容部８５内に、機能部材たるクラッチ機構の一部が収容され、フランジ部７３側に開口する機能部材収容部８３内に、スプール７９の回転速度制御機構（機能部材）８７の一部が収容されている。
【００２９】
即ち、図中、８９はロータ支持体９１を介してスプール軸１５に装着された導電体からなる円筒状のインダクトロータで、前記インダクトロータ６３と同様、インダクトロータ８９は回転速度制御機構８７の一部を構成して側板方向へ延設されている。
そして、側板側には、既述した実施形態と同様、磁石を装着した２重の円環が配置されており、両円環の環状の隙間にインダクトロータ８９の自由端側が挿入されている。そして、特許第３５０５３４１号公報に開示された回転速度制御機構と同様、図示しない磁力調整手段の操作で、インダクトロータ８９に作用する磁石の磁力の強弱が調整できるようになっている。
【００３０】
尚、その他の構成は図１及び図２の実施形態と同様であるので、同一のものには同一符号を付してそれらの説明は省略する。
本実施形態はこのように構成されているから、本実施形態によっても、図１の実施形態と同様、所期の目的を達成することが可能で、スプール７９の軽量化によって良好なキャスティング性能の向上を図り乍ら、実釣時に於ける良好なキャスティング性能を高精度に維持することができると共に、スプール７９内に回転速度制御機構８７やスプール軸１５の軸受等を支障を来すことなく収容配置することができる利点を有する。
【図面の簡単な説明】
【００３１】
【図１】請求項１及び請求項２の一実施形態に係る魚釣用リールの平面図である。
【図２】図１の魚釣用リールに装着されたスプールの一部切欠き正面図である。
【図３】スプールの変形例の一部切欠き正面図である。
【符号の説明】
【００３２】
１，３  側板
５  フレーム
７  魚釣用リール
９  リール本体
１１，１３  軸受
１５  スプール軸
１７，７９  スプール
２１  ピニオンギヤ
２３  クラッチレバー
２５  クラッチ機構
２７  ハンドル
２９  ハンドル軸
３７，７７  釣糸巻回胴部
４１，４３，７３，７５  フランジ部
４５  スプール軸挿着部
４７  支持プレート
４９，５１，８３，８５  機能部材収容部
５３，８７  回転速度制御機構
５５，９１  ロータ支持体
６１  遠心カラー
６３，８９  インダクトロータ
６５  磁石
７１，８１  ディンプル
【図１】
2007104952.tif 000003
【図２】
2007104952.tif 000004
【図３】
2007104952.tif 000005